(57)【特許請求の範囲】
【請求項１】
感圧性粘着剤を備えたラベルに、ＩＣチップとアンテナとを有したＲＦＩＤインレットを備えたＲＦＩＤラベルにおいて、
前記ラベルの一方側辺から他方側辺に向けて第一の折れ線と、第二の折れ線と、第三の折れ線と、が順に形成され、
前記一方側辺と前記第一の折れ線との領域に形成した第一の貼着面と、
前記第一の折れ線と前記第二の折れ線との領域に形成した第一の傾斜面と、
前記第二の折れ線と前記第三の折れ線との領域に形成した第二の傾斜面と、
前記第三の折れ線と前記他方側辺との領域に形成した第二の貼着面と、を有し、
前記第三の折れ線を前記アンテナと交差する方向に形成して、前記アンテナを前記第一の傾斜面と前記第二の貼着面に位置していることを特徴とするＲＦＩＤラベル。
【請求項２】
前記ラベルの前記第一の傾斜面と第二の傾斜面は、非粘着であることを特徴とする請求項１記載のＲＦＩＤラベル。
【発明の詳細な説明】
【技術分野】
【０００１】
本発明は、非接触で送受信することができるＲＦＩＤラベルに関し、特に交信特性を改善したＲＦＩＤラベルに関する。
【背景技術】
【０００２】
近年、ＲＦＩＤラベルは非接触でデータの交信をすることができるので被着体に貼着され、被着体の管理などの用途に利用されるようになってきている。    
図４は、従来のＲＦＩＤラベル２０を被着体Ｐに貼着した平面図であり、ＲＦＩＤラベル２０は、ラベル２１と、ＩＣチップ２２とアンテナ２３と薄板状の樹脂シート２４とから構成されている。尚、ラベル２１は仮想線で示し、被着体Ｐに貼着されている。
ＩＣチップ２２とアンテナ２３は電気的に接続され、外部に設けた情報の書込あるいは読出をすることができる通信装置（図示せず）から電磁誘導により、ＩＣチップ２２に電流を供給し、ＩＣチップ２２に対し情報の書き込みまたは読み出しを非接触状態で行うための導電性アンテナ２３がループ状に形成されている。
【０００３】
上記のように構成されたＲＦＩＤラベル２０においては、外部に設けられた通信装置に近接すると、通信装置からの電磁誘導によりアンテナ２３に電流が流れ、この電流がＩＣチップ２２に供給され、それにより、非接触状態において、通信装置からＩＣチップ２２に情報が書き込まれたり、ＩＣチップ２２に書き込まれた情報が読み出されたりする。
【０００４】
しかしながら、ＲＦＩＤラベル２０を貼る被着体Ｐは輸送容器や金属などに貼着ことがあり、輸送容器に平面状に貼付されたＲＦＩＤラベル２０は、輸送される物品の材質や輸送容器の構造によっては、ＲＦＩＤラベル２０と通信装置と通信が不可能になる場合がる。
また、液体を入れた容器や金属などの被着体Ｐに平面状に貼付した場合にも同様に通信が不可能になる問題がある。
また、被着体ＰにＲＦＩＤラベル２０が貼着したときに、ＲＦＩＤラベル２０が平面で貼着してあることから、貼着されたＲＦＩＤラベル２０の面のほぼ垂直する位置に通信装置がなければ読書きが確実にできないという問題がある。
特許文献１には、金属上で使用できるように、略平板の渦巻き状の第１のコイルとコンデンサとＩＣとからなる第１の共振回路と軟磁性板とを備えたタグがある。
【０００５】
【特許文献１】特開２００４−３４８４９７号公報
【発明の開示】
【発明が解決しようとする課題】
【０００６】
本発明は、上記問題にかんがみなされたもので、ＲＦＩＤラベルを金属の表面や輸送容器の容器表面に貼着された場合でも、書込みや読出しをすることができるＲＦＩＤラベルを提供することを目的する。
また本発明は、輸送容器の管理やトレーサビリティを確実に行えることができるＲＦＩＤラベルを提供することを目的する。
【課題を解決するための手段】
【０００７】
本発明は、アンテナが電波を受け取りしやすいようにすることに着目したので、請求項１記載の発明の要旨は、感圧性粘着剤を備えたラベルに、ＩＣチップとアンテナとを有したＲＦＩＤインレットを備えたＲＦＩＤラベルにおいて、前記ラベルの一方側辺から他方側辺に向けて第一の折れ線と、第二の折れ線と、第三の折れ線と、が順に形成され、前記一方側辺と前記第一の折れ線との領域に形成した第一の貼着面と、前記第一の折れ線と前記第二の折れ線との領域に形成した第一の傾斜面と、前記第二の折れ線と前記第三の折れ線との領域に形成した第二の傾斜面と、前記第三の折れ線と前記他方側辺との領域に形成した第二の貼着面と、を有し、前記第三の折れ線を前記アンテナと交差する方向に形成して、前記アンテナを前記第一の傾斜面と前記第二の貼着面に位置していることを特徴とするＲＦＩＤラベルにある。
また、請求項２記載の発明の要旨は、前記ラベルの前記第一の傾斜面と第二の傾斜面は、非粘着であることを特徴とする請求項１記載のＲＦＩＤラベルにある。
【発明の効果】
【０００８】
本発明のＲＦＩＤラベルは、ＲＦＩＤラベルを金属の表面や輸送容器の容器表面に貼着された場合でも、ＩＣチップに書込みや読出しをすることができ、輸送容器の管理やトレーサビリティを確実に行えることができる。
【発明を実施するための最良の形態】
【０００９】
本発明の実施の形態を図１ないし図３に基づいて説明する。
図１は本発明のＲＦＩＤラベルの使用例の一例を示した概略説明図であり、図２は本発明のＲＦＩＤラベルの一例を示した平面図であり、図３はＲＦＩＤラベルの概略断面図である。
【００１０】
ＲＦＩＤラベル１は、ＲＦＩＤインレット２と、ラベル３とを備え、帯状台紙４に所定の間隔で仮着されている。
帯状台紙４の一方面には、シリコーンなどの剥離剤１３が塗布され、この剥離剤１３の表面にＲＦＩＤラベル１が仮着されている。また、ラベル３は印字することができる紙類などから構成されている。
ＲＦＩＤインレット２は、ＩＣチップ５とアンテナ６とを備え、アンテナ６は導電性の材料から成りループ状の形状を有している。このループ状のアンテナ６とＩＣチップ５とは電気的に接続されている。
また、ＩＣチップ５とアンテナ６を保護するように薄板状の透明の樹脂性シート７に包含されている。
ＩＣチップ５は、所定のデータを保持することができる記憶部と、この記憶部に記憶されたデータを読出しまたは書込みするようなプログラムを有している。
このようなＲＦＩＤインレット２は、外部からの通信装置１５からの電磁誘導によりアンテナ６が起電力を発生して、ＩＣチップ５に電流を供給し、ＩＣチップ５に対し情報の書込みまたは読出しをすることができる。
【００１１】
ＲＦＩＤインレット２は、ラベル３の一方面に設けられ他方面は印字面を有している。
また、ＲＦＩＤインレット２を設けた側のラベル３の全面に感圧性粘着剤８を設けるこ
とができる。
ＲＦＩＤラベル１は、感圧性粘着剤８を介して帯状台紙４に仮着されている。ラベル３
は、ＲＦＩＤインレット２より広い短冊状の形状を有している。
ラベル３には、第一の折れ線９ａと、第二の折れ線９ｂと、第三の折れ線９ｃとを形成することができる。各折れ線９ａ、９ｂ、９ｃは、所定の間隔を隔てて、且つ平行に形成することができ、ラベル３の一方短辺側１１からラベル３の他方短辺側１２に向けて第一の折れ線９ａ、第二の折れ線９ｂ、第三の折れ線９ｃの各折れ線が順に形成されている。
また、第三の折れ線９ｃは、ループ状のアンテナ６と交差する方向に形成することができる。
尚、各折れ線９ａ、９ｂ、９ｃはラベル３の短辺側と平行に形成することができる。また、各折れ線９ａ、９ｂ、９ｃは、ミシン目や押圧した凹部など曲がりやすい形状とすることができる。
尚、３本の折れ線９ａ、９ｂ、９ｃの間隔はほぼ同一の間隔とすることができる。
【００１２】
またＲＦＩＤラベル１は、ラベル３の短辺としての一方短辺側１１と第一の折れ線部９ａとの間の領域には、第一の貼着面１０ａを形成することができ、第一の折れ線９ａと第二の折れ線９ｂとの間の領域には、第一の傾斜面１０ｂを形成することができ、第二の折れ線９ｂと第三の折れ線９ｃとの間の領域には、第二の傾斜面１０ｃを形成することができる。第三の折れ線９ｃとラベル３の他方短辺側１２の間には第二の貼着面１０ｄを形成することができる。
尚、第二の貼着面１０ｄには、ＩＣチップ５とアンテナ６の一部を有し、第二の折れ線９ｂと第三の折れ線９ｃとの間の第二の傾斜面１０ｃには、アンテナ６の一部である傾斜用アンテナ６ａを有することができる。
尚、図１は第一の傾斜面１０ｂと、第二の傾斜１０ｃには、感圧性粘着剤８が塗布していない例を示している。
このような帯状台紙４に仮着されたＲＦＩＤラベル１は、図示しない印字装置によりラベル３の印字面に所定の文字やバーコードが印字されるとともに、印字装置に設けられる図示しない通信装置により、ＩＣチップ５に所定の情報が読み出しまたは書き込みすることができる。
【００１３】
ラベル３に印字及びＩＣチップ５に情報が書き込まれたＲＦＩＤラベル１は、図示しないがＲＦＩＤラベル１を貼着するＲＦＩＤ貼着機あるいは手作業で被着体ＰにＲＦＩＤラベル１を貼着することができる。
ＲＦＩＤラベル１を被着体Ｐに貼着した時には、第一の傾斜面１０ｂと第二の傾斜面１０ｃとが山形状に突出するように第一の貼着面１０ａと第二の貼着面１０ｄとの間隔を狭くして貼着することができる。
第二の傾斜面１０ｃを山形状にすることにより、アンテナ６ａは第二の貼着面１０ｄと第二の傾斜面１０ｃとにより所定の角度を形成することができる。  
尚、第二の貼着面１０ｄと第二の傾斜面１０ｃとの角度は、１００°ないし１６０°とすることができる。
【００１４】
このように被着体Ｐに貼付されたＲＦＩＤラベル１は、コンベアなどの搬送手段により搬送されながら通信装置１５により、ＩＣチップ５に書き込みや読出しをすることができ、
通信装置１５との交信する位置は、ＲＦＩＤラベル１が通信装置１５の上部に位置した時に、交信するできる場合と、通信装置１５にＲＦＩＤラベルが到達しない位置でも交信することができる。
【００１５】
尚、この実施の形態でのＲＦＩＤインレット２は、ＩＣチップ５とアンテナ６と樹脂状シート７とから構成した例で説明したが、樹脂状シート７を有しなくてもよい。
また、感圧性粘着剤８は全面に塗布する例で説明したが、第一の傾斜面１０ｂ及び第二の傾斜面１０ｃは、感圧性粘着剤８を有しない非粘着面であってもよい。
各折れ線は、ＲＦＩＤインレットをラベルに貼着しない時に、形成するのが好ましい。
一方短辺側および他方短辺側は、短冊状のラベルの短辺側として説明したが、長辺側であってもよい。
【００１６】
この実施の形態では、各構成部材の数、位置、形状等は上記実施の形態に限定されず、本発明を実施するうえで好適な数、位置、形状等にすることができる。本発明が上記各実施の形態に限定されず、本発明の技術思想の範囲内において、実施の形態は適宜変更され得ることは明らかである。
【図面の簡単な説明】
【００１７】
【図１】本発明のＲＦＩＤラベルの使用例の一例を示した概略説明図である。
【図２】同上、ＲＦＩＤラベルの一例を示した平面図である。
【図３】同上、ＲＦＩＤラベルの概略断面図である。
【図４】従来のＲＦＩＤラベルを被着体に貼着した平面図である。
【符号の説明】
【００１８】
１      ＲＦＩＤラベル
２      ＲＦＩＤインレット
３      ラベル
４      帯状台紙
５      ＩＣチップ
６      アンテナ
６ａ    傾斜用アンテナ
９ａ    第一の折れ線
９ｂ    第二の折れ線
９ｃ    第三の折れ線
１０ａ    第一の貼着面
１０ｂ    第一の傾斜面
１０ｃ    第二の傾斜面
１０ｄ    第二の貼着面
１１      一方短辺側（ラベル）
１２      他方短辺側（ラベル）
１５      通信装置
２０      ＲＦＩＤラベル(従来)
Ｐ      被着体
【図１】
0004815207.tif 000002
【図２】
0004815207.tif 000003
【図３】
0004815207.tif 000004
【図４】
0004815207.tif 000005